(57)【要約】【課題】表示用ＪＰＥＧ画像の容量を抑えつつ、ピントの確認を容易に行うことのできる撮像装置を提供する。【解決手段】画像データを表示する表示部１１９と、画像データを記録する記録部１１７とを有する撮像装置において、画像データのうちの主画像データ（本画像）を記録部１１７に記録する際、主画像データの一つ又は複数の領域の部分画像データ（表示用画像）を、主画像データを撮影した際の撮影条件によって、前記領域の大きさを変更して記録するようにした。これにより、撮影者にとって重要な領域のみを表示用画像として保存することができ、再生時のピント確認を容易に可能にしながらも、ファイル容量を小さくすることができる。【選択図】  図１
2010021945.tif 000002
【特許請求の範囲】
【請求項１】
画像データを表示する表示部と、画像データを記録する記録部とを有する撮像装置であって、
前記画像データのうちの主画像データを前記記録部に記録する際、該主画像データの一つ又は複数の領域の部分画像データを記録する記録手段と、
前記主画像データを撮影した際の撮影条件に応じて、前記領域の大きさを変更する変更手段とを有することを特徴とする撮像装置。
【請求項２】
前記変更手段は、解像度も変更することを特徴とする請求項１に記載の撮像装置。
【請求項３】
前記撮影条件とは、測距情報及び絞り値であることを特徴とする請求項１に記載の撮像装置。
【請求項４】
前記変更手段は、前記測距情報及び絞り値に基づき被写界深度を演算し、該被写界深度が浅いほど前記領域を小さくし、深いほど前記領域を大きくするように設定することを特徴とする請求項３に記載の撮像装置。
【請求項５】
前記記録手段は、前記主画像データと異なる画像処理パラメータで処理された前記部分画像データを記録することを特徴とする請求項１に記載の撮像装置。
【請求項６】
前記部分画像データを、前記主画像データと異なる画像処理パラメータで画像処理する画像処理手段とを有することを特徴とする請求項１に記載の撮像装置。
【請求項７】
前記画像処理パラメータは、明るさ、ホワイトバランス、コントラスト及びシャープネスのうちの少なくともいずれかに関するものであることを特徴とする請求項６に記載の撮像装置。
【請求項８】
画像データを表示する表示部と、画像データを記録する記録部とを有する撮像装置の制御方法であって、
前記画像データのうちの主画像データを前記記録部に記録する際、該主画像データの一つ又は複数の領域の部分画像データを、前記主画像データを撮影した際の撮影条件に応じて、前記領域の大きさを変更して記録するステップを有することを特徴とする撮像装置の制御方法。
【請求項９】
画像データを表示する表示部と、画像データを記録する記録部とを有する撮像装置の制御をコンピュータに実行させるためのプログラムであって、
前記画像データのうちの主画像データを前記記録部に記録する際、該主画像データの一つ又は複数の領域の部分画像データを、前記主画像データを撮影した際の撮影条件に応じて、前記領域の大きさを変更して記録するステップをコンピュータに実行させるためのプログラム。
【発明の詳細な説明】
【技術分野】
【０００１】
本発明は、画像再生時のピント確認を容易に行うことのできる撮像装置、その制御方法及びプログラムに関する。
【背景技術】
【０００２】
近年、急速に普及したデジタルカメラは、撮影した画像を背面の液晶モニタに表示することで、撮影直後に画像を確認できることが大きな利点となっている。画像再生方法に関しては、利用者の利便性を向上させる様々な方法がこれまでに提案されている。
【０００３】
例えば特許文献１では、画像データを部分的に拡大して表示する拡大再生において、顔領域等の特定領域を瞬時に表示させることで、ピント確認を容易に行うことが可能なデジタルカメラが提案されている。
また特許文献２では、記録モードとして画像処理を行わずに記録するＣＣＤ−ＲＡＷ形式が選択されている場合、再生処理に使用するＪＰＥＧ画像（以下、表示用ＪＰＥＧ画像と呼ぶ）をＣＣＤ−ＲＡＷ形式のデータと合わせて記録しておく手法が提案されている。この場合、ＣＣＤ−ＲＡＷデータを信号処理して画像データを生成する必要がなくなるため、再生処理の高速化を図ることができる。
【０００４】
【特許文献１】特開２００５−１０２１７５号公報
【特許文献２】特開２００３−２４４５０７号公報
【発明の開示】
【発明が解決しようとする課題】
【０００５】
上記の表示用ＪＰＥＧ画像は、処理時間、記録容量等の観点から、ＣＣＤ−ＲＡＷ形式よりも解像度（画素数）を落として記録することが求められるが、その場合、再生時にピントの確認が行いにくいという問題が生じる。
【０００６】
本発明では、表示用ＪＰＥＧ画像の容量を抑えつつ、ピントの確認を容易に行うことのできる撮像装置等を提供することを目的とする。
【課題を解決するための手段】
【０００７】
本発明の撮像装置は、画像データを表示する表示部と、画像データを記録する記録部とを有する撮像装置であって、前記画像データのうちの主画像データを前記記録部に記録する際、該主画像データの一つ又は複数の領域の部分画像データを記録する記録手段と、前記主画像データを撮影した際の撮影条件に応じて、前記領域の大きさを変更する変更手段とを有することを特徴とする。
また、本発明の撮像装置の制御方法は、画像データを表示する表示部と、画像データを記録する記録部とを有する撮像装置の制御方法であって、前記画像データのうちの主画像データを前記記録部に記録する際、該主画像データの一つ又は複数の領域の部分画像データを、前記主画像データを撮影した際の撮影条件に応じて、前記領域の大きさを変更して記録するステップを有することを特徴とする。
また、本発明のプログラムは、画像データを表示する表示部と、画像データを記録する記録部とを有する撮像装置の制御をコンピュータに実行させるためのプログラムであって、前記画像データのうちの主画像データを前記記録部に記録する際、該主画像データの一つ又は複数の領域の部分画像データを、前記主画像データを撮影した際の撮影条件に応じて、前記領域の大きさを変更して記録するステップをコンピュータに実行させるためのプログラムである。
【発明の効果】
【０００８】
本発明では、絞り値と測距情報等を基に計算できる被写界深度に応じて、部分画像データ（表示用ＪＰＥＧ画像）の保存領域を変更させることができる。具体的には、被写界深度が浅い場合にはピントが合う領域が小さいため保存領域を小さく、被写界深度が深い場合にはピントが合う領域が大きいため保存領域を大きくする。このようにすることで、撮影者にとって重要な領域のみを表示用ＪＰＥＧ画像として保存することができ、ピント確認を容易に可能にしながらも、ファイル容量を抑えることができる。そのため、再生処理に要する処理時間、メモリ容量を大幅に削減することが可能となる。また、表示用ＪＰＥＧ画像を本画像（主画像データ）とは異なるパラメータを用いて生成することで、本画像に影響を与えずにピント確認を容易に行うことも可能となる。
【発明を実施するための最良の形態】
【０００９】
以下、本発明の実施の形態について図面を参照しながら説明する。図１に本発明を実施するための最良の形態である撮像装置としてのデジタルカメラの構成を示す。
【００１０】
図１において、１０はデジタルカメラ、１００は撮影レンズ、１０１は絞り、１０３はシャッター、１０４は撮像素子である。撮影レンズ１００に入射した光線は、絞り１０１及びシャッター１０３を通過し、撮像素子１０４によって光学像から電気信号に変換される。撮像素子１０４は、Ｒ（赤）、Ｇ（緑）、Ｂ（青）の原色透過フィルタがピクセル単位に市松模様に配列（ベイヤー配列）されたエリアセンサとして構成されている。
【００１１】
１０５は撮像素子１０４のアナログ信号出力をディジタル信号に変換するＡ／Ｄ変換器である。１０７は撮像素子１０４、Ａ／Ｄ変換器１０５にクロック信号や制御信号を供給するタイミング制御部であり、メモリ制御部１０８及び制御部１０６によって制御される。
【００１２】
１０９は画像処理部であり、Ａ／Ｄ変換器１０５からのデータ或いはメモリ制御部１０８からのデータに対して、所定の信号処理、例えばホワイトバランス調整、画素補間処理、階調処理、色変換処理等を行う。また画像処理部１０９においては、撮像した画像データを用いて所定の演算処理を行い、得られた演算結果に基づいて制御部１０６が露光制御部１０２、フォーカス制御部１１３に対して制御を行う。これにより、ＴＴＬ方式のＡＦ（オートフォーカス）処理、ＡＥ（自動露出）処理が行われる。
【００１３】
１０８はメモリ制御部であり、Ａ／Ｄ変換器１０５、タイミング制御部１０７、画像処理部１０９、メモリ１１０、圧縮・伸長部１１１を制御する。Ａ／Ｄ変換器１０５のデータは、画像処理部１０９及びメモリ制御部１０８を介して、或いは、直接メモリ制御部１０８を介して、メモリ１１０に書き込まれる。
【００１４】
１１０は撮影した静止画像やライブビュー表示をするための動画像を格納するためのメモリであり、所定枚数の静止画像や動画像を格納するのに十分な記憶量を備えている。メモリ１１０はまた、制御部１０６の作業領域としても使用することが可能である。１１１は適応離散コサイン変換（ＡＤＣＴ）等により画像データを圧縮伸長する圧縮・伸長部であり、メモリ１１０に格納された画像を読み込んで圧縮処理或いは伸長処理を行い、処理を終えたデータをメモリ１１０に書き込む。
【００１５】
１０２は絞り１０１やシャッター１０３を制御する露光制御部である。１１３は撮影レンズ１００のフォーカシングを制御するフォーカス制御部である。１１２は撮影レンズ１００のズーミングを制御するズーム制御部である。露光制御部１０２、フォーカス制御部１１３は、ＴＴＬ方式を用いて制御されており、撮像した画像データを画像処理部１０９が演算した演算結果に基づき、制御部１０６が露光制御部１０２、フォーカス制御部１１３を制御する。
【００１６】
１０６はデジタルカメラ１０全体を制御する制御部である。１１４は電気的に消去・記録可能な不揮発性メモリであり、例えばＥＥＰＲＯＭ等が用いられる。
【００１７】
１１５はシャッタースイッチＳＷ１であり、不図示のシャッターボタンの操作途中でＯＮとなり、ＡＦ（オートフォーカス）処理、ＡＥ（自動露出）処理、ＡＷＢ（オートホワイトバランス）処理等の動作開始を指示する。１１６はシャッタースイッチＳＷ２であり、不図示のシャッターボタンの操作完了でＯＮとなる。ＯＮとなった場合は、まず撮像素子１０４から読み出した信号をＡ／Ｄ変換器１０５、メモリ制御部１０８を介してメモリ１１０に画像データを書き込む露光処理の指示を行い、続いて画像処理部１０９やメモリ制御部１０８での演算を用いた現像処理の指示を行う。更に、メモリ１１０から画像データを読み出し、圧縮・伸長部１１１で圧縮を行い、記録媒体１１７に画像データを書き込む記録処理の指示を行う。
【００１８】
１１８は表示制御部であり、記録媒体１１７に記録された画像データやライブビュー画像を表示部１１９に表示するための制御部である。１１９は液晶パネル等からなる表示部である。１２０は画像データから任意の領域をトリミングするトリミング部であり、１２１は画像データを任意の拡大率・縮小率でリサイズするリサイズ部である。
【００１９】
１１７はメモリカードやハードディスク等の記録媒体（記録部）である。ここで図２に記録媒体１１７に記録する画像データのファイル構造の模式図を示す。図２（ａ）はＣＣＤ−ＲＡＷ形式の画像データのファイル構造を示し、図２（ｂ）はＪＰＥＧ形式の画像データのファイル構造を示している。これらの画像データのファイル構造のフォーマットは、デジタルカメラで一般的に用いられている電子情報技術産業協会（ＪＥＩＴＡ）によって定められたＥｘｉｆファイルフォーマットの規格に準拠する。以下、それぞれのファイル構造の詳細を説明する。
【００２０】
図２（ａ）に示すＣＣＤ−ＲＡＷ形式の画像データ２００は、ヘッダ領域２０１、サムネイル画像領域２０２、表示用ＪＰＥＧ画像領域２０３及びＣＣＤ−ＲＡＷ画像領域２０４を有する。ヘッダ領域２０１には、シャッタースピード、絞り値、ＩＳＯ感度等の撮影条件を示す情報や画像処理に関するパラメータ等が記録される。サムネイル画像領域２０２には、ＣＣＤ−ＲＡＷ形式の場合、後述の表示用ＪＰＥＧ画像Ａ（２０３−１）をリサイズした画像データが記録される。なお、ＤＣＦ（Ｄｉｇｉｔａｌ  Ｃａｍｅｒａ  Ｆｏｒｍａｔ）ではサムネイル画像は、１６０×１２０画素と規定されている。表示用ＪＰＥＧ画像領域２０３には、再生時に使用する表示用ＪＰＥＧ画像が記録される。表示用ＪＰＥＧ画像領域２０３に含まれる表示用ＪＰＥＧ画像Ａ（２０３−１）は、本画像（本発明でいう主画像データに対応）に対して水平・垂直方向にそれぞれ１／２にリサイズした画像データである。また２０３−２に示す表示用ＪＰＥＧ画像Ｐｉ（ｉ＝１〜ｎ）は、本画像の特定領域をトリミングした表示用ＪＰＥＧ画像（本発明でいう、部分画像データに対応する）であり、本画像と同等の解像度を有するように処理されている。ＣＣＤ−ＲＡＷ画像領域２０４には、本画像、即ちに、ＣＣＤ−ＲＡＷ形式の画像データが記録される。
図２（ｂ）に示すＪＰＥＧ形式の画像データ２１０は、ヘッダ領域２１１、サムネイル画像領域２１２、表示用ＪＰＥＧ画像領域２１３及びＪＰＥＧ画像領域２１４を有する。ヘッダ領域２１１、サムネイル画像領域２１２、表示用ＪＰＥＧ画像領域２１３は、ＣＣＤ−ＲＡＷ形式の画像データ２００のものと同様であるため、説明は省略する。ＪＰＥＧ画像領域２１４には、本画像、即ち、ＪＰＥＧ形式の画像データが記録される。
【００２１】
次に図３を用いて本実施の形態において画像データを記録する際のフローを説明する。
ステップＳ１０１において制御部１０６は、シャッタースイッチＳＷ１（１１５）のＯＮを検出すると、ステップＳ１０２において撮像素子１０４の露光を開始し、撮像した画像データから画像処理部１０９が演算して求めた測光情報、測距情報を取得する。
【００２２】
次にステップＳ１０３において制御部１０６は、シャッタースイッチＳＷ２（１１６）のＯＮを検出すると本露光を行い、取得した画像データ（ＣＣＤ−ＲＡＷ形式の画像データ）をメモリ１１０に保存する。次にステップＳ１０４において制御部１０６は、記録画質がＣＣＤ−ＲＡＷ形式であるかＪＰＥＧ形式であるか判別する。ＣＣＤ−ＲＡＷ形式の場合はステップＳ１０５において、前述した表示用ＪＰＥＧ画像Ａを生成する（図２を参照のこと）。ＪＰＥＧ形式の場合はステップＳ１０６において、ＣＣＤ−ＲＡＷ形式の画像データに所定の画像処理及び圧縮処理等をしてＪＰＥＧ形式の本画像を生成する。
【００２３】
次にステップＳ１０７において制御部１０６は、複数の表示用ＪＰＥＧ画像Ｐｉを生成するための変数ｉを初期化し、続いてステップＳ１０８において、表示用ＪＰＥＧ画像Ｐｉの領域、即ち、本画像からトリミングして保存する領域を決定する。
【００２４】
ここで図４、図５を用いてトリミング領域の決定方法について説明する。ステップＳ１０２において、図５に示す撮影画面５００内の合焦点５０１が画像処理部１０９により求められたとする。このとき、制御部１０６は、決定した撮影時の絞り値と、ズーム制御部１１２及びフォーカス制御部１１３により求められるデジタルカメラ１０から被写体までの距離情報と、所定の許容錯乱円とを基に、被写界深度を演算する。ここで得られた被写界深度から図４に示すような関係を用いて、トリミング領域５０２の大きさを決定する。図４は、被写界深度に応じて、トリミング領域の大きさを変更する関数を示しており、予め保持されているものである。具体的に図４では、被写界深度が浅い場合には、ピントが合う領域が小さいためトリミング領域を小さくするようにし、被写界深度が深い場合にはピントが合う領域が大きいためトリミング領域を大きくするようにしている。このようにすることで、重要な領域のみを表示用ＪＰＥＧ画像として保存することができ、ピント確認を容易に可能にしながらも、ファイル容量を抑えることを実現する。なお、ステップＳ１０８の処理は、本発明でいう変更手段の一処理例に対応する。
【００２５】
図３に戻りステップＳ１０９において制御部１０６は、画像処理部１０９で表示用ＪＰＥＧ画像Ｐｉを生成するための画像処理パラメータを決定する。画像処理パラメータは、明るさ、ホワイトバランス、コントラスト、シャープネス等に関するものであり、ｉ＝０のときは、撮影時にデジタルカメラ１０に設定されていた設定値を用いるものとする。続いてステップＳ１１０において制御部１０６は、ステップＳ１０９において決定された画像処理パラメータを用いて画像処理部１０９により画像処理を行い、表示用ＪＰＥＧ画像Ｐiを生成する。なお、生成する表示用ＪＰＥＧ画像Ｐiは本画像と同等の解像度を有するように適宜調整又は変更される。
【００２６】
次にステップＳ１１１において制御部１０６は、表示用ＪＰＥＧ画像（即ち、表示用ＪＰＥＧ画像Ｐｉ＋１）を更に生成するかどうかの判定を行う。判定は、例えば現在ステップＳ１０９で生成された表示用ＪＰＥＧ画像Ｐｉを画像処理部１０９で解析した結果を用いてもよい。具体的には、表示用ＪＰＥＧ画像Ｐｉの輝度ヒストグラムを検出し、明るさ、コントラストに偏りがないかどうか判定をする。そして偏りがある場合には、本来の目的であるピント確認が行いにくい可能性があるため、偏りを補正する画像処理パラメータをステップＳ１０９で設定して、表示用ＪＰＥＧ画像を順次複数枚生成するようにする。ステップＳ１１１で表示用ＪＰＥＧ画像を複数生成すると判定した場合は、ステップＳ１１２において制御部１０６は、変数ｉをインクリメントしてステップＳ１０８に戻る。なお、上述のように本実施の形態では、表示用ＪＰＥＧ画像Ｐｉを生成する際に、本画像とは異なる画像処理パラメータを用いるようにしている（ステップＳ１０９）。これにより、本画像に影響を与えずにピント確認を容易に行うことが可能となる。
【００２７】
ステップＳ１１１で表示用ＪＰＥＧ画像の生成を終了すると判定した場合ステップＳ１１３において制御部１０６は、ステップＳ１０５又はＳ１０６で生成されたＪＰＥＧ画像をリサイズ部１２１によって１６０×１２０画素に縮小してサムネイル画像を生成する。そして処理を終了する。なお、ステップＳ１０３、Ｓ１０５、Ｓ１０６、Ｓ１１０、Ｓ１１３で生成された各画像データは、図２に示した各データ領域に保存され、記録媒体１１７に記録される。
【００２８】
上述のようにして記録された画像データは、デジタルカメラ１０の背面に設けられた各種釦を操作することで再生することができる。図６にデジタルカメラ１０の背面図を示す。デジタルカメラ１０は、表示部１１９に画像を再生表示する際のモードとして、画像を１度に１枚のみ表示する１枚再生モード、４枚の画像を１度に再生する４枚再生モード、９枚の画像を１度に再生する９枚再生モードの３つの再生モードを有する。
【００２９】
図６において、６０７は再生モード変更釦であり、押下するたびに再生モードを変更することができる。６００ａ、６００ｂは、それぞれ拡大釦、縮小釦であり、表示部１１９に表示されている画像の表示領域を拡大・縮小するための表示サイズ変更釦である。６０１ａ〜６０１ｄは表示領域移動釦であり、拡大再生において表示部１１９に表示されている領域を上下左右に移動するための釦である。６０２は回転させることで記録媒体１１７に記録されている画像データを順次、表示部１１９に表示するための画像送りダイアルである。６０３は記録媒体１１７に記録されている画像データを表示部１１９に表示するための再生釦である。６０４は表示用ＪＰＥＧ画像記録領域表示釦であり、表示部１１９に表示されている画像に関連付けられて記録されている表示用ＪＰＥＧ画像の領域を、表示用ＪＰＥＧ画像記録領域表示枠６０６として、画像データと併せて表示・非表示するための釦である。
【００３０】
次に本実施の形態において記録媒体１１７に記録された画像データを再生する際のフローを図７に示す。
【００３１】
再生釦６０３が押下されると画像再生が開始され、ステップＳ２００において制御部１０６は、１枚再生モードかどうかを判定する。１枚再生モードでない場合、即ち再生モードが４枚再生、９枚再生である場合には、ステップＳ２０１に進み、制御部１０６は、サムネイル画像領域に記録された画像データを圧縮・伸長部１１１で伸長し、表示部１１９に表示する。１枚再生モードである場合はステップＳ２０２に進み、制御部１０６は、画像データがＣＣＤ−ＲＡＷ形式であるかどうかを判定する。ＣＣＤ−ＲＡＷ形式である場合にはステップＳ２０３に進み、リサイズした画像である表示用ＪＰＥＧ画像Ａを表示部１１９全体に表示する。一方、画像データがＪＰＥＧ形式である場合にはステップＳ２０４に進み、ＪＰＥＧ画像領域に記録されたＪＰＥＧ画像を表示部１１９全体に表示する。
【００３２】
次にステップＳ２０５において制御部１０６は、拡大釦６００ａが押下されたかどうかを判定し、拡大釦６００ａが押下された場合は、複数の表示用ＪＰＥＧ画像Ｐｉのうちの表示用ＪＰＥＧ画像Ｐ１を表示部１１９全体に表示する。更に拡大釦６００ａが押下され続けた場合にはステップＳ２０６において、表示領域を段階的に拡大させて表示する。
【００３３】
また、ステップＳ２０７において制御部１０６は、縮小釦６００ｂが押下されたかどうかを判定し、縮小釦６００ｂが押下された場合にはステップＳ２０８において、拡大釦６００ａとは逆に表示領域を段階的に縮小させて表示を行う。
【００３４】
また、ステップＳ２０９において制御部１０６は、表示領域移動釦６０１が押下されたかどうかを判定する。表示領域移動釦６０１が押下された場合はステップＳ２１０において、表示部１１９に表示する画像領域の移動を行うが、このとき表示すべき領域が、表示用ＪＰＥＧ画像Ｐ１に含まれているかどうかの判定を行う。表示領域が表示用ＪＰＥＧ画像Ｐ１に含まれている場合は、該画像の画像データをそのまま使用して表示を行う。表示領域がＰ１に含まれていない場合はステップＳ２１１において、記録モードがＣＣＤ−ＲＡＷ形式かどうかを判定する。ＣＣＤ−ＲＡＷ形式の場合はステップＳ２１２に進み、ＣＣＤ−ＲＡＷ画像から現像処理を行い、表示用の画像データを生成する。ＪＰＥＧ形式の場合にはステップＳ２１３に進む、ＪＰＥＧ画像領域のＪＰＥＧ画像から表示用の画像データを生成する。なお、本処理では、表示用ＪＰＥＧ画像Ｐｉのうちの表示用ＪＰＥＧ画像Ｐ１を再生する処理を説明したが、画像パラメータの異なるその他の表示用ＪＰＥＧ画像を表示することもできる。この場合、ＵＩや操作部を用いて表示用ＪＰＥＧ画像を選択するようにする。
【００３５】
以上、本実施の形態においては、絞り値と測距情報と許容錯乱円とを基に計算できる被写界深度に応じて、表示用ＪＰＥＧ画像の保存領域を変更させるようにした。具体的には、被写界深度が浅い場合には、ピントが合う領域が小さいため保存領域を小さく、被写界深度が深い場合にはピントが合う領域が大きいため保存領域を大きくするようにした。このようにすることで、撮影者にとって重要な領域のみを表示用ＪＰＥＧ画像として保存することができ、ピント確認を容易に可能にしながらも、ファイル容量を抑えることができる。そのため、再生処理に要する処理時間、メモリ容量を大幅に削減することが可能となる。また、表示用ＪＰＥＧ画像を本画像とは異なる画像処理パラメータを用いて生成することで、本画像に影響を与えずにピント確認を容易に行うことも可能となる。
【００３６】
また、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００３７】
この場合、記憶媒体から読み出されたプログラムコード自体が上述した実施形態の機能を実現することになり、プログラムコード自体及びそのプログラムコードを記憶した記憶媒体は本発明を構成することになる。
【００３８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３９】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００４０】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００４１】
【図１】本発明の実施の形態に係る撮像装置の全体構成を示したブロック図である。
【図２】本発明の実施の形態に係る撮像装置が用いる画像データのファイル構造を示した図である。
【図３】本発明の実施の形態に係る撮像装置が画像データを記録する際の動作を説明するフローチャートである。
【図４】本発明の実施の形態に係る撮像装置が表示用ＪＰＥＧ画像を記録する際に用いる、被写界深度と画像の大きさの関係を説明する図である。
【図５】本発明の実施の形態に係る撮像装置が撮影した画像の撮影画面の一例を示した図である。
【図６】本発明の実施の形態に係る撮像装置の背面図である。
【図７】本発明の実施の形態に係る撮像装置が画像データを再生する際の動作を説明するフローチャートである。
【符号の説明】
【００４２】
１０  デジタルカメラ
１００  撮影レンズ
１０１  絞り
１０３  シャッター
１０４  撮像素子
１０６  制御部
１０９  画像処理部
１１８  表示制御部
１１９  表示部
１２０  トリミング部
１２１  リサイズ部
【図１】
2010021945.tif 000003
【図２】
2010021945.tif 000004
【図３】
2010021945.tif 000005
【図４】
2010021945.tif 000006
【図５】
2010021945.tif 000007
【図６】
2010021945.tif 000008
【図７】
2010021945.tif 000009